(57)【要約】【課題】コスト増および生産性の低下を招くことなく、口腔内の清掃効果および毛開き耐久性の向上を実現できる歯ブラシを提供する。【解決手段】植毛面１１に複数の植毛穴１２が設けられたヘッド部１０を備え、二つ折りにした用毛の毛束の間に挟み込まれ植毛穴内に打ち込まれた平線６によって毛束が植毛穴に植設されてなる歯ブラシである。ヘッド部の厚さは、２ｍｍ以上、４．５ｍｍ以下である。植毛穴の最大深さは、１．５ｍｍ以上、４．０ｍｍ以下である。植毛穴は、平線の上辺６ａよりも植毛面側に、上辺と対向し平線に占有されない平線非占有領域ＮＡを有する。植毛穴の深さ方向における平線非占有領域の高さは、０．５ｍｍ以上、０．８ｍｍ以下である。【選択図】図６
2018183275.tif 000002
【特許請求の範囲】
【請求項１】
植毛面に複数の植毛穴が設けられたヘッド部を備え、二つ折りにした用毛の毛束の間に挟み込まれ前記植毛穴内に打ち込まれた平線によって前記毛束が前記植毛穴に植設されてなる歯ブラシであって、
前記ヘッド部の厚さは、２ｍｍ以上、４．５ｍｍ以下であり、
前記植毛穴の最大深さは、１．５ｍｍ以上、４．０ｍｍ以下であり、
前記植毛穴は、前記平線の上辺よりも前記植毛面側に、前記上辺と対向し前記平線に占有されない平線非占有領域を有し、
前記植毛穴の深さ方向における前記平線非占有領域の高さは、０．５ｍｍ以上、０．８ｍｍ以下であることを特徴とする歯ブラシ。
【請求項２】
前記平線非占有領域の高さをＡ、前記植毛穴の直径をｄ、前記植毛穴の径方向における前記平線の厚さをＴとすると、
Ａ×ｄ×Ｔで表される体積は、０．１７ｍｍ３以上、０．４０ｍｍ３以下であることを特徴とする請求項１記載の歯ブラシ。
【請求項３】
前記平線非占有領域の高さをＡ、前記植毛穴の最大深さをＤとすると、
Ａ／Ｄで表される数値は、０．２０以上、０．３２以下であることを特徴とする請求項１または２記載の歯ブラシ。
【請求項４】
前記植毛穴において前記平線が配置された領域における前記用毛の断面積の合計をＳ１とし、前記平線が配置された領域における前記平線の断面積を除いた前記植毛穴の断面積をＳ２とすると、断面積Ｓ２に対する断面積Ｓ１の割合は、７０％以上、９５％以下であることを特徴とする請求項１から３のいずれか一項に記載の歯ブラシ。
【請求項５】
前記用毛のうち少なくとも一部は、毛先が先鋭化された用毛であることを特徴とする請求項１から４のいずれか一項に記載の歯ブラシ。
【請求項６】
前記ヘッド部は、ポリプロピレン樹脂で形成されていることを特徴とする請求項１から５のいずれか一項に記載の歯ブラシ。
【発明の詳細な説明】
【技術分野】
【０００１】
本発明は、歯ブラシに関するものである。
【背景技術】
【０００２】
歯周病を効果的に予防するためには、プラークが蓄積しやすい歯頸部を確実に清掃できる歯ブラシが求められる。歯頸部のプラークを効果的に除去するためには、毛径の細い用毛を採用することで歯頸部侵入性を向上させる手段が用いられる。
ところが、毛径が細い用毛を用いた場合は、毛腰低下による清掃実感の欠如、毛開き耐久性が低下するという課題がある。さらに、歯頸部への高い毛先侵入性を有する先端極細毛においては上記課題が助長されることが知られている。
【０００３】
そこで、特許文献１には、ポリエステル用毛を用いて毛開き耐久性を確保し、ハンドル体における毛折れの起きやすい開口周縁部に軟質樹脂を用いることにより毛折れ耐久性を向上させた歯ブラシが開示されている。
【先行技術文献】
【特許文献】
【０００４】
【特許文献１】特開２００７−６９３７号公報
【発明の概要】
【発明が解決しようとする課題】
【０００５】
しかしながら、上述したような従来技術では、特定の材質の用毛を用いる必要があり汎用性に欠けるという問題がある。また、上記の従来技術では、複数種の樹脂を用いてハンドル体を形成する必要があるため、工程数が増えてコスト増および生産性の低下を招く可能性がある。
【０００６】
本発明は、以上のような点を考慮してなされたもので、コスト増および生産性の低下を招くことなく、口腔内の清掃効果および毛開き耐久性、毛の硬さの向上を実現できる歯ブラシを提供することを目的とする。
【課題を解決するための手段】
【０００７】
本発明者等は鋭意工夫の結果、毛開き耐久性は下記の平線非占有領域によって規定されることを見出した。
すなわち本発明は、以下の態様を有する。
本発明の第１の態様に従えば、植毛面に複数の植毛穴が設けられたヘッド部を備え、二つ折りにした用毛の毛束の間に挟み込まれ前記植毛穴内に打ち込まれた平線によって前記毛束が前記植毛穴に植設されてなる歯ブラシであって、前記ヘッド部の厚さは、２ｍｍ以上、４．５ｍｍ以下であり、前記植毛穴の最大深さは、１．５ｍｍ以上、４．０ｍｍ以下であり、前記植毛穴は、前記平線の上辺よりも前記植毛面側に、前記上辺と対向し前記平線に占有されない平線非占有領域を有し、前記植毛穴の深さ方向における前記平線非占有領域の高さは、０．５ｍｍ以上、０．８ｍｍ以下であることを特徴とする歯ブラシが提供される。
【０００８】
また、上記本発明の一態様に係る歯ブラシにおいて、前記平線非占有領域の高さをＡ、前記植毛穴の直径をｄ、前記植毛穴の径方向における前記平線の厚さをＴとすると、Ａ×ｄ×Ｔで表される体積は、０．１７ｍｍ３以上、０．４０ｍｍ３以下であることを特徴とする。
【０００９】
また、上記本発明の一態様に係る歯ブラシにおいて、前記平線非占有領域の高さをＡ、前記植毛穴の最大深さをＤとすると、Ａ／Ｄで表される数値は、０．２０以上、０．３２以下であることを特徴とする。
【００１０】
また、上記本発明の一態様に係る歯ブラシにおいて、前記植毛穴において前記平線が配置された領域における前記用毛の断面積の合計をＳ１とし、前記平線が配置された領域における前記平線の断面積を除いた前記植毛穴の断面積をＳ２とすると、断面積Ｓ２に対する断面積Ｓ１の割合は、７０％以上、９５％以下であることを特徴とする。
【００１１】
また、上記本発明の一態様に係る歯ブラシにおいて、前記用毛のうち少なくとも一部は、毛先が先鋭化された用毛であることを特徴とする。
【００１２】
また、上記本発明の一態様に係る歯ブラシにおいて、前記ヘッド部は、ポリプロピレン樹脂で形成されていることを特徴とする。
【発明の効果】
【００１３】
本発明では、コスト増および生産性の低下を招くことなく、口腔内の清掃効果および毛開き耐久性、毛の硬さの向上を実現できる歯ブラシを提供できる。
【図面の簡単な説明】
【００１４】
本明細書において、平面視とは、ヘッド部１０の植毛面１１側から歯ブラシを見ることを意味する。植毛面１１と平行でかつハンドル体２の長さ方向に直交する方向を幅とし、植毛面１１に直交する方向を厚さとする。
【図１】本実施形態に係る歯ブラシ１の平面図である。
【図２】本実施形態に係る歯ブラシ１の側面図である。
【図３】歯ブラシ１の先端側を拡大した平面図である。
【図４】図２における植毛穴１２を拡大して示したヘッド部１０の断面図である（なお、刷毛（用毛）５と平線６は省略している）。
【図５】図２における、毛束１４が植毛穴１２に植設されたヘッド部１０の断面図である。
【図６】刷毛（用毛）５を省略して植毛穴を拡大して示した図である。（ａ）は植毛穴の平面図であり、（ｂ）は（ａ）のＢ−Ｂ間断面図である。
【発明を実施するための形態】
【００１５】
以下、本発明の歯ブラシの実施の形態を、図１ないし図６を参照して説明する。
なお、以下の実施形態は、本発明の一態様を示すものであり、この発明を限定するものではなく、本発明の技術的思想の範囲内で任意に変更可能である。また、以下の図面においては、各構成をわかりやすくするために、実際の構造と各構造における縮尺や数等を異ならせている。
【００１６】
図１は、歯ブラシ１の平面図である。図２は、歯ブラシ１の側面図である。図３は、歯ブラシ１の先端側を拡大した平面図である。
【００１７】
本実施形態の歯ブラシ１は、先端に配置され刷毛（用毛）５の毛束１４が植毛されたヘッド部１０と、ヘッド部１０の後端側に延設されたネック部２０と、ネック部２０の後端側に延設されたハンドル部３０（以下、ヘッド部１０とネック部２０とハンドル部３０とを合わせてハンドル体２と称する）とを備える。
【００１８】
ハンドル部３０は、使用者が把持する部分である。ネック部２０は、ハンドル部３０とヘッド部１０との間を連結する部分である。
【００１９】
ハンドル体２は、全体として長尺状に一体成形されたものであり、例えば、樹脂を材料とし射出成形により得られるものである。
ハンドル体２の材質としては、曲げ弾性率（ＪＩＳ  Ｋ７１７１）が１０００ＭＰａ以上、２８００ＭＰａ以下である樹脂が挙げられ、例えば、ポリプロピレン樹脂（ＰＰ）、ポリアセタール樹脂（ＰＯＭ）、ポリスチレン樹脂（ＰＳ）、ポリエチレンテレフタレート樹脂（ＰＥＴ）、ポリブチレンテレフタレート樹脂（ＰＢＴ）、アクリロニトリルブタジエンスチレン樹脂（ＡＢＳ）、ポレアリレート樹脂、ポリカーボネート樹脂、アクリロニトリルスチレン樹脂（ＡＳ）などが挙げられる。これらの中でも、コスト面を考慮すると汎用樹脂であるポリプロピレン樹脂が好ましい。
【００２０】
上記の樹脂は１種を単独で使用してもよいし、２種以上を併用してもよい。
また、ハンドル体は、把持性を向上させるため、例えばエラストマーなどの柔軟な樹脂が部分的又は全体に被覆されていてもよい。エラストマーなどの柔軟な樹脂を用いる場合には、接着性を高められる観点から、例えば、ポリオレフィンが好ましく、ＰＰがより好ましい。
【００２１】
ハンドル体２の曲げ弾性率（ＪＩＳ  Ｋ７１７１）、つまりハンドル体２の材質として用いる樹脂の曲げ弾性率は、１０００ＭＰａ以上、２８００ＭＰａ以下であることが好ましく、１２００ＭＰａ以上、２５００ＭＰａ以下であることがより好ましく、１５００ＭＰａ以上、２０００ＭＰａ以下であることが更に好ましい。
【００２２】
なお、本実施形態では、ハンドル体２が全体的に一体成形された構成となっているが、ヘッド部１０、ネック部２０、ハンドル部３０が一体成形されたものに限らない。例えば、ヘッド部１０、ネック部２０、ハンドル部３０のうち、少なくともいずれか一つを別材質で製作してそれぞれを接合させたものでもよい。
【００２３】
ハンドル体２の全体の長さは、操作性等を関して決定することができる。ハンドル体２の全体の長さは、例えば１５０〜２００ｍｍ程度である。
【００２４】
ヘッド部１０は、厚さ方向の一方側（以下、上面側と称する）に植毛面１１を有している。植毛面１１には、植毛穴１２が複数形成され、植毛穴１２に刷毛（用毛）５の毛束１４（図２参照）が植設されている。なお、図１および図３においては、毛束１４の図示が省略されている。
植毛穴１２の内径ｄは１．３ｍｍ以上が好ましく、１．４ｍｍ以上がより好ましく、１．６ｍｍ以上が更に好ましい。また、３．０ｍｍ以下が好ましく、２．３ｍｍ以下がより好ましい。１．４ｍｍ以上、２．３ｍｍ以下であることがより好ましい。本発明を有効活用できるためには、上記範囲内にあることが好ましい。
ヘッド部１０の寸法は、口腔内操作性などの特性を勘案して決定される。
ヘッド部１０の横幅は、５ｍｍ以上、１６ｍｍ以下に設定される。
ヘッド部１０の長さは１０ｍｍ以上、３３ｍｍ以下で設定される。
【００２５】
図４は、図２における植毛穴１２を拡大して示したヘッド部１０の断面図である（なお、刷毛（用毛）５と平線６は省略している）。
ヘッド部１０は、厚さｔが２ｍｍ以上４．５ｍｍ以下の範囲内が好ましく、２．５ｍｍ以上、３．５ｍｍ以下の範囲内がより好ましい。上記範囲内にあることで、口腔内操作時の清掃性実感が得られる。また、後述する平線６で毛束１４を保持するのに十分な植毛穴１２の深さを確保することができ、十分な植毛強度が確保できる。奥歯への到達性を高められるとともに、口腔内操作性の観点から、厚さｔは、２．５ｍｍ以上、３．５ｍｍ以下であることがより好ましい。
【００２６】
図３および図４に示すように、ヘッド部１０の一面である植毛面１１には、刷毛（用毛）５の毛束１４を植設するための複数の植毛穴１２が、ヘッド部１０の長さ方向と幅方向とに列をなして設けられている。なお、図３及び図４においては、刷毛５を省略して図示している。
【００２７】
植毛穴１２の横断面形状は、一例として円形で、格子状や千鳥状に１０〜４０程度配列されている。植毛穴１２の深さ（最大深さ）Ｄとしては、１．５ｍｍ以上、４．０ｍｍ以下であることが好ましく、２．０ｍｍ以上、３．０ｍｍ以下であることがより好ましい。
【００２８】
なお、植毛穴１２としては、深さ方向に変化のない円柱状のものを用いても、図４に示されるように、植毛穴１２の底部に、例えば０．３ｍｍ（Ｃ０．３）程度の面取り加工を施すことがある。
【００２９】
図５は、図２における、毛束１４が植毛穴１２に植設されたヘッド部１０の断面図である。
図５に示すように、毛束１４は、刷毛（用毛）５を複数本束ねて二つ折りにし、その間に抜け止め具である平線６を挟んで植毛穴１２に打ち込むことによって、ヘッド部の各植毛穴１２に植設されている。
【００３０】
刷毛（用毛）５の材質については、特に限定されるものではなく、例えば、ポリアミド（例：６−１２ナイロン、６−１０ナイロン、１２―ナイロンなど）、ポリエステル（例：ポリエチレンテレフタレート、ポリブチレンテレフタレート、ポリトリメチレンテレフタレートなど）、ポリオレフィン（例：ポリプロピレンなど）、エラストマー（例：オレフィン系、スチレン系など）、などの合成樹脂材料や天然材質等を用いることができ、これらを組み合わせて用いても構わない。また、これらの樹脂材料を複数組み合わせて用いてもよく、例えば芯鞘構造などのように、芯部と鞘部で異なる樹脂材料を用いることもできる。
【００３１】
また、刷毛（用毛）５の横断面形状は、円形であることが多いが、特にこれに限定されない。例えば、三角形、四角形、六角形、花びら状などの横断面形状の刷毛（用毛）５を用いることもでき、またこれらを組み合わせた形状であっても良い。また、予め刷毛（用毛）５全体の外観形状がウエーブ状、ツイスト状、ギザギザ状等に加工されたものを用いることもでき、これらを組み合わせることも可能である。
【００３２】
刷毛（用毛）５の径は、３〜１２ｍｉｌ（０．０７６〜０．３０５ｍｍ）であることが好ましく、５〜１０ｍｉｌ（０．１２７〜０．２５４ｍｍ）であることがより好ましい。また、刷毛５は、毛先丸め部を除いて１本の刷毛内ではほぼ同一径の刷毛でも良いが、ヘッド部１０の植毛面１１付近では上記太さであっても、毛先先端へ向かうに従って、徐々に径が細くなり先端が先鋭化されたテーパー毛であっても構わない。この場合、隙間への毛先の侵入性が良く、ソフトなあたり心地が実現できるため、歯頚部の刷掃やマッサージには好適となる。また、通常毛とテーパー毛とを植毛穴１２毎に適宜選択したり、同一毛束１４内で混毛したり、自由に組み合わせることができる。
【００３３】
刷毛（用毛）５の植毛面１１からの長さ（毛丈）Ｌ２は、一例として、ヘッド部１０の植毛面１１から６〜１５ｍｍの範囲内にあることが好ましく、大人用で９ｍｍ〜１５ｍｍ、子供用で６ｍｍ〜９ｍｍの範囲内とすることがより好ましい。
【００３４】
植毛穴１２の深さＤと毛丈Ｌ２との比（Ｄ／Ｌ２）としては、０．２０以上、０．２５以下であることが好ましく、０．２１以上、０．２３以下であることがより好ましい。Ｄ／Ｌ２で表される数値が上記の下限値を下回った場合には、植毛穴１２の深さＤが小さくなり毛束１４の直立性が低下したり、毛束１４が動く自由度が高くなり、毛開き耐久性、毛腰強度（毛の硬さ）が低下する可能性がある。一方、Ｄ／Ｌ２で表される数値が上記の上限値を上回った場合には、植毛穴１２の深さＤが大きくなりヘッド部１０の耐割れ強度が低下したり、毛丈Ｌ２が短くなり歯頸部の清掃性が低下する可能性がある。
【００３５】
図６は、刷毛を省略して植毛穴を拡大して示した図であり、図６（ａ）は、植毛穴の平面図であり、図６（ｂ）は、図６（ａ）のＢ−Ｂ間断面図である。
平線６は、図６（ａ）及び図６（ｂ）に示すように、植毛穴１２の中心部を通り、且つ、植毛穴１２を跨ぐように植毛穴１２に打設されている。平線６の材質としては、例えば、真鍮やアルミニウムなどの金属を挙げることができ、その他にも硬質プラスチックや生分解性プラスチッなどを挙げることができる。
【００３６】
平線６の厚みＴは、０．１５ｍｍ以上、０．３０ｍｍ以下であることが好ましく、０．１８ｍｍ以上、０．２５ｍｍ以下であることがより好ましく、０．１８ｍｍ以上、０．２２ｍｍ以下であることが更に好ましい。
平線６の高さｈは１．０ｍｍ以上、１．５ｍｍ以下であることが好ましく、１．０ｍｍ以上、１．３ｍｍ以下であることがより好ましい。
平線６としては、幅を規定する面に長さ方向に延びる溝が一つ以上形成された溝付き平線でも、溝が形成されていない溝無し平線でもよい。溝付き平線の幅寸法は、溝部が埋まった溝無し平線の幅寸法で規定される。
【００３７】
平線６は、長さｗが植毛穴１２の直径ｄよりも大であり、植毛穴１２の深さ方向の高さｈが植毛穴１２の深さＤよりも小である。具体的には、平線６の長さｗは、植毛穴１２の直径ｄ+０．１以上、直径ｄ+０．８ｍｍ以下の範囲内にあることが好ましく、直径ｄ+０．２以上、直径ｄ+０．６ｍｍ以下の範囲内にあることがより好ましい。
【００３８】
平線６は、植毛穴１２に打ち込まれることにより毛束１４を植毛穴１２に保持させるため、打ち込まれた平線６における下辺と植毛穴１２の底面との距離Ｌ１は、植設される刷毛（用毛）５の材質、本数、太さに応じて設定される。平線６の高さｈは、植毛穴１２の深さＤ、下辺と植毛穴１２の底面との距離Ｌ１、および植毛面１１から上辺までの距離Ａに応じて設定されている。
【００３９】
距離Ａは、植毛穴１２において、平線６の上辺６ａよりも植毛面１１側で、上辺６ａと対向し平線６に占有されない平線非占有領域ＮＡの高さである。植毛穴１２において、平線６が占有する領域（図６（ｂ）の平線６の斜線部）では、平線６の上辺６ａから下辺６ｂに配置された刷毛（用毛）５は、植毛穴１２の内周面と平線６の側面とによって囲まれた空間に装填されて保持される。一方、植毛穴１２において、平線６の上辺６ａよりも植毛面１１側に配置された刷毛５は、植毛穴１２の内周面で囲まれ、平線６が占有する空間よりも平線非占有領域ＮＡの体積だけ広い空間に装填されて保持される。
【００４０】
すなわち、図６（ｂ）に示される平線６の径方向の厚さをＴとすると、平線６が占有する領域（図６（ｂ）の平線６の斜線部）では、植設された刷毛５は、断面積がπ×（ｄ／２）２−（ｄ×Ｔ）の近似値で表される空間に保持される。これに対して、平線６の上辺６ａよりも植毛面１１側では、植設された刷毛５は、断面積がπ×（ｄ／２）２で表される空間に保持される。そのため、植毛穴１２において、平線非占有領域ＮＡを含む領域に配置されている刷毛５は、平線６が占有する領域に配置されている刷毛５と比較して、植毛穴１２に強固には保持されておらず、植毛面１１から突出している毛束１４と一体的に移動可能と考えられる。従って、毛開き耐久性、毛腰強度（毛の硬さ）は、平線非占有領域ＮＡの高さＡによって規定されることを見出した。
【００４１】
平線非占有領域ＮＡの高さＡとしては、０．５ｍｍ以上、０．８ｍｍ以下であることが好ましく、０．５ｍｍ以上、０．７ｍｍ以下であることがより好ましい。高さＡが上記の下限値を下回った場合には、平線６を植毛穴１２に打ち込んだ際のばらつきで平線６が植毛面１１から突出した状態となる可能性がある。高さＡが上記の上限値を上回った場合には、毛束１４が動く自由度が高くなり、毛開き耐久性、毛腰強度（毛の硬さ）が低下する可能性がある。
【００４２】
歯ブラシ１は、ＪＩＳ規格（Ｓ３０１６）に規定された方法で測定された毛束１４の硬さ（毛腰強度）に応じて「かため（７５Ｎ／ｃｍ２以上）」、「ふつう（５０〜８５Ｎ／ｃｍ２）」、「やわらかめ（６０Ｎ／ｃｍ２以下）」に区分される。従来では、平線６が植毛面１１から突出しないように平線６を植毛穴１２に打ち込んでいたため、高さＡが上記の上限値を上回っていた。そのため、毛束１４の硬さを測定する際には、上記のＬ２（毛の硬さ測定時は毛束をカットすることで７ｍｍに調整）とＡの合計長さＬ３が大きくなることで硬さとしては小さくなってしまい、例えば、直径が７ｍｉｌ（０．１７８ｍｍ）の刷毛（用毛）５を用いても植毛配列によっては「やわらかめ」表示の歯ブラシ１として区分される場合があった。
【００４３】
これに対して、本実施形態の歯ブラシ１においては、高さＡを上記の範囲と規定することにより、平線６が植毛面１１から突出することなく、上記の合計長さＬ３を従来よりも小さくすることができる。そのため、歯ブラシ１の硬さとしては大きくなり、例えば、直径が６ｍｉｌ（０．１５２ｍｍ）の細い刷毛（用毛）５を用いても「ふつう」表示の区分が可能となる場合がある。従って、本実施形態の歯ブラシ１においては、特定の材質の用毛を用いたり、複数種の樹脂を用いてハンドル体２を形成することで汎用性の低下、コスト増、および生産効率の低下を招くことなく、歯グキへの当たり心地がよくなり、歯間部など細かい隙間への毛先の挿入実感が高まるとともに、毛開き耐久性、毛腰強度（毛の硬さ）を向上させることができる。
【００４４】
また、Ａ×ｄ×Ｔの近似値で表される平線非占有領域ＮＡの体積としては、０．１７ｍｍ３以上、０．４０ｍｍ３以下であることが好ましく、０．１７ｍｍ３以上、０．３４ｍｍ３以下であることがより好ましく、０．１７ｍｍ３以上、０．２８ｍｍ３以下であることが更に好ましい。この範囲にあることで、十分な毛開き耐久性、毛腰強度（毛の硬さ）が得られる。
【００４５】
また、植毛穴１２において、平線６が配置された平線占有領域における刷毛（用毛）５の断面積の合計をＳ１とし、平線占有領域における前記平線の断面積を除いた前記植毛穴の断面積をＳ２とすると、断面積Ｓ２に対する断面積Ｓ１の割合（（Ｓ１／Ｓ２）×１００）は７０％以上、９５％以下であることが好ましく、７５％以上、９０％以下であることがより好ましい。上記の範囲内にあることで、十分な植毛密度が得られる。
【００４６】
また、Ａ／Ｄで表される数値としては、０．２０以上、０．３２以下であることが好ましく、０．２０以上、０．３０以下であることがより好ましく、０．２０以上、０．２７以下であることが更に好ましい。上記の数値が下限値を下回った場合には、平線６を植毛穴１２に打ち込んだ際のばらつきで平線６が植毛面１１から突出した状態となる可能性がある。また、上記の数値が上記の上限値を上回った場合には、毛束１４が動く自由度が高くなり、毛開き耐久性、毛腰強度（毛の硬さ）が低下する可能性がある。
【００４７】
［実施例］
以下、実施例を示して本発明を詳細に説明するが、本発明は以下の実施例に限定されるものではなく、その要旨を逸脱しない範囲で適宜変更して実施することができる。
【００４８】
（使用材料）
＜実施例１〜５、比較例１〜６＞
ハンドル体２；ポリプロピレン樹脂
【００４９】
下記の［表１］に示す仕様に従って、図１のハンドル体２を射出成形により作製し、用毛５の毛束１４を二つ折りにし、その間に挟み込まれた平線６を植毛穴１２に打ち込む。このようにして、毛束１４を植毛穴１２に植設し、実施例１〜５および比較例１〜６の歯ブラシを製作した。
【００５０】
平線非占有領域ＮＡの高さＡは、以下の式（１）を用いて算出される。
Ａ＝Ｄ−ｈ−Ｌ１  …（１）
ここで、式（１）における距離Ｌ１は、図６（ａ）に示されるように、平線６で分離された平面視略半円状の植毛穴１２の断面積が、植毛穴１２の底面と内周面とを接続する面取りの大きさをＣ０．３としたときに、植毛穴１２における平線６の下辺よりも下側の断面積と近似的に等しいことを用いた下式（２）により算出される。
Ｌ１＝（ｄ−Ｔ）／２  …（２）
従って、式（１）および式（２）から高さＡは、以下の式（３）を用いて算出される。
Ａ＝Ｄ−ｈ−（ｄ−Ｔ）／２  …（３）
【００５１】
（評価方法）
実施例１〜５、比較例１〜５の歯ブラシについて、下記の方法で「奥歯の歯頸部清掃性」、「毛開き耐久性」を評価した。
＜奥歯の歯頸部清掃性＞
奥歯の歯頸部清掃性は、１０名の被験者に口腔内を実際に清掃してもらう方法で実験を行い、被験者の官能で評価した。具体的には、奥歯の歯頸部清掃性が、「非常に良い」場合には３点、「やや良い」場合には２点、「現在使用している歯ブラシと同様」の場合には１点として評価した。
＜判定基準＞
以上により得られた点数の平均点が２．０点以上の場合には、「○」と判定し、１．５点以上２．０点未満の場合には「△」と判定し、１．５点未満の場合には「×」と判定する３段階によって判定した。
【００５２】
＜毛開き耐久性＞
毛開き耐久性は、モデル耐久性試験機で所定回数（５万回）刷掃する前後の、ヘッド部に植毛された植毛部幅（ヘッド部の幅方向の用毛の毛先位置での最大幅）の変化量を「毛開き率」としてパーセント表示したものである。測定する部分は最も外側を向いた毛束を計測する。
毛開き率（％）＝[（刷掃後の植毛部幅−刷掃前の植毛部幅）／（刷掃前の植毛部幅）]×１００
＜判定基準＞
◎：６０％未満
○：６０％以上８０％未満
△：８０％以上１００％未満
×：１００％以上
【００５３】
【表１】
2018183275.tif 000003
【００５４】
【表２】
2018183275.tif 000004
【００５５】
また、下記の［表２］に示す仕様に従い上記実施例１〜５、比較例１〜５と同様の方法で作製した比較例６の歯ブラシと、上記の実施例１の歯ブラシとについて、ＪＩＳ規格（Ｓ３０１６）の毛の硬さを測定した。
表２に示されるように、毛丈が同じ場合、平線非占有領域ＮＡの高さＡが、０．５ｍｍ以上、０．８ｍｍ以下の範囲内であると、毛束の硬さが向上し、ＪＩＳ規格（Ｓ３０１６）の毛の硬さの区分を変更できることを確認できた。これは、平線非占有領域ＮＡの高さＡが、０．８ｍｍを超えた場合と比較して、平線６により植毛穴１２に拘束されない毛束の長さが短くなることで、負荷が加わった際に変形可能な毛束の長さが短くなり、毛束を屈曲させたときの応力が向上したためと考えられる。
【００５６】
以上、添付図面を参照しながら本発明に係る好適な実施形態について説明したが、本発明は係る例に限定されないことは言うまでもない。上述した例において示した各構成部材の諸形状や組み合わせ等は一例であって、本発明の主旨から逸脱しない範囲において設計要求等に基づき種々変更可能である。
【符号の説明】
【００５７】
１…歯ブラシ、  ５…刷毛（用毛）、  ６…平線、  ６ａ…上辺、  １０…ヘッド部、  １１…植毛面、  １２…植毛穴、  １４…毛束、  Ａ…平線非占有領域の高さ
【図１】
2018183275.tif 000005
【図２】
2018183275.tif 000006
【図３】
2018183275.tif 000007
【図４】
2018183275.tif 000008
【図５】
2018183275.tif 000009
【図６】
2018183275.tif 000010